(57)【特許請求の範囲】
【請求項１】
短距離通信機能及び中距離通信機能を有する情報収集装置と、短距離通信機能、中距離通信機能、及び長距離通信機能を有する通信装置と、を備えた情報収集システムであって、
前記情報収集装置は、
収集した収集情報を記録する収集情報記録手段と、
前記通信装置に対応する識別情報を登録する識別情報登録手段と、
前記中距離通信機能により通信装置を探索する探索手段と、
前記通信装置を探索できた場合には、当該探索された通信装置に対応する識別情報が登録されているか否かを判別する判別手段と、
前記識別情報が登録されている場合には、前記記録されている収集情報を前記探索された通信装置に前記中距離通信機能により送信する情報送信手段と、
を備え、
前記通信装置は、
前記情報収集装置から送信されてきた収集情報を前記中距離通信機能により受信する情報受信手段と、
前記長距離通信機能によりネットワークを介してサーバ装置に接続し、前記受信された収集情報を当該サーバ装置に送信する収集情報送信手段と、
を備え、
前記情報収集装置において、前記通信装置を探索できない場合又は前記識別情報が登録されていない場合には、前記探索手段は、前記短距離通信機能により通信装置を探索し、前記判別手段は、前記通信装置を探索できた場合には、当該探索された通信装置に対応する識別情報が登録されているか否かを判別し、前記情報送信手段は、前記識別情報が登録されている場合には、前記記録されている収集情報を前記探索された通信装置に前記短距離通信機能により送信し、
前記通信装置において、前記情報受信手段は、前記情報収集装置から送信されてきた収集情報を前記短距離通信機能により受信し、前記収集情報送信手段は、前記長距離通信機能によりネットワークを介してサーバ装置に接続し、前記受信された収集情報を当該サーバ装置に送信することを特徴とする情報収集システム。
【請求項２】
請求項１に記載の情報収集システムにおいて、
前記サーバ装置は、用途毎に複数存在し、
前記情報収集装置において、前記情報送信手段は、操作者からの指定に応じて、予め登録された夫々の前記サーバ装置に接続するためのアドレス情報のうちから何れか一の前記アドレス情報を取得して当該アドレス情報を、前記探索された通信装置に前記短距離通信機能又は前記中距離通信機能により送信し、
前記通信装置において、前記情報受信手段は、前記情報収集装置から送信されてきたアドレス情報を前記短距離通信機能又は前記中距離通信機能により受信し、前記収集情報送信手段は、当該受信されたアドレス情報にしたがって前記サーバ装置に接続し、前記受信された収集情報を当該サーバ装置に送信することを特徴とする情報収集システム。
【請求項３】
請求項１に記載の情報収集システムにおいて、
前記サーバ装置は、用途毎に複数存在し、
前記情報収集装置において、前記情報送信手段は、操作者からの指定に応じて何れか一の前記サーバ装置を示す指定情報を、前記探索された通信装置に前記短距離通信機能又は前記中距離通信機能により送信し、
前記通信装置において、前記情報受信手段は、前記情報収集装置から送信されてきた指定情報を前記短距離通信機能又は前記中距離通信機能により受信し、前記収集情報送信手段は、予め登録された夫々の前記サーバ装置に接続するためのアドレス情報のうちから前記受信された指定情報に対応する何れか一の前記アドレス情報を取得して当該アドレス情報にしたがって前記サーバ装置に接続し、前記受信された収集情報を当該サーバ装置に送信することを特徴とする情報収集システム。
【請求項４】
請求項１乃至３の何れか一項に記載の情報収集システムにおいて、
前記探索手段は、予め設定された時間が到来した場合に、前記通信装置の探索を開始することを特徴とする情報収集システム。
【請求項５】
請求項１乃至３の何れか一項に記載の情報収集システムにおいて、
前記探索手段は、操作者からの収集情報の送信指示あった場合に、前記通信装置の探索を開始することを特徴とする情報収集システム。
【請求項６】
請求項１乃至３の何れか一項に記載の情報収集システムにおいて、
前記情報収集装置は、商品又はサービスに対する売上を示す売上情報を前記収集情報として収集するものであって、
前記探索手段は、前記売上の発生が検出された場合に、前記通信装置の探索を開始することを特徴とする情報収集システム。
【請求項７】
請求項１乃至６の何れか一項に記載の情報収集システムに含まれる情報収集装置であって、
前記収集情報記録手段、前記識別情報登録手段、前記探索手段、前記判別手段、及び前記情報送信手段を備えることを特徴とする情報収集装置。
【請求項８】
請求項１乃至６の何れか一項に記載の情報収集システムに含まれる通信装置であって、
前記情報受信手段及び前記収集情報送信手段を備えることを特徴とする通信装置。
【請求項９】
請求項７に記載の情報収集装置として機能させることを特徴とする情報収集処理プログラム。
【請求項１０】
請求項８に記載の通信装置として機能させることを特徴とする通信処理プログラム。
【請求項１１】
短距離通信機能及び中距離通信機能を有する情報収集装置と、短距離通信機能、中距離通信機能、及び長距離通信機能を有する通信装置と、を用いた情報収集方法であって、
前記情報収集装置は、
収集した収集情報を記録する工程と、
前記通信装置に対応する識別情報を登録する工程と、
前記中距離通信機能により通信装置を探索する探索工程と、
前記通信装置を探索できた場合には、当該探索された通信装置に対応する識別情報が登録されているか否かを判別する判別工程と、
前記識別情報が登録されている場合には、前記記録されている収集情報を前記探索された通信装置に前記中距離通信機能により送信する情報送信工程と、
を備え、
前記通信装置は、
前記情報収集装置から送信されてきた収集情報を前記中距離通信機能により受信する情報受信工程と、
前記長距離通信機能によりネットワークを介してサーバ装置に接続し、前記受信された収集情報を当該サーバ装置に送信する収集情報送信工程と、
を備え、
前記情報収集装置において、前記通信装置を探索できない場合又は前記識別情報が登録されていない場合には、前記探索工程は、前記短距離通信機能により通信装置を探索し、前記判別工程は、前記通信装置を探索できた場合には、当該探索された通信装置に対応する識別情報が登録されているか否かを判別し、前記情報送信工程は、前記識別情報が登録されている場合には、前記記録されている収集情報を前記探索された通信装置に前記短距離通信機能により送信し、
前記通信装置において、前記情報受信工程は、前記情報収集装置から送信されてきた収集情報を前記短距離通信機能により受信し、前記収集情報送信工程は、前記長距離通信機能によりネットワークを介してサーバ装置に接続し、前記受信された収集情報を当該サーバ装置に送信することを特徴とする情報収集方法。
【発明の詳細な説明】
【技術分野】
【０００１】
本発明は、キャッシュレジスタやタイムレコーダ等の情報収集装置が収集した情報をサーバ装置に送信するためのシステム等の技術分野に関する。
【背景技術】
【０００２】
従来、公衆回線や専用線でサーバ装置に接続された情報収集装置は、収集した情報を記録し、当該記録された情報を、逐次処理又はバッチ処理によってサーバ装置へ送信することが可能になっている。
【０００３】
一方で、地理的条件や金銭的問題により、情報収集装置が公衆回線や専用線で接続困難な場合は、記録された情報を別のネットワーク網に接続可能な別の通信装置に移送したり、別メディアに複製した情報を物理的に輸送したりといったように、何らかの伝送手段を用いてサーバ装置に情報を送ることになる。例えば、特許文献１には、自動販売機側に設けた情報通信装置と、該情報通信装置と情報通信を行うインターフェースとＰＨＳ無線部とを備えたＰＨＳ端末装置から成り、ＰＨＳ端末装置は、インターフェースを通して伝送される送信データをＰＨＳ無線部にてＰＨＳ基地局に送信し、ＰＨＳ基地局から電話回線を介してセンターに送信するようにした技術が開示されている。
【特許文献１】特開平８−１５４１３５号公報
【発明の開示】
【発明が解決しようとする課題】
【０００４】
しかしながら、情報収集装置が収集した情報を通信装置に送り、当該情報を当該通信装置がネットワーク網を介してサーバ装置に送信するように構成した場合において、通信装置が例えば使用者により携帯され移動される状況下（例えば、情報収集装置が店舗に設置されるレジ端末であり、通信装置が店員により使用される携帯電話機である場合）では、当該収集された情報を効率良くサーバ装置に送信できないという問題がある。加えて、情報収集装置が収集した情報が外部に知られたくない情報である場合に、上記構成では情報漏洩の問題がある。
【０００５】
そこで、本発明は、このような点等に鑑みてなされたものであり、情報収集装置により収集された情報を通信装置を通じて、より効率良く、しかも情報漏洩を防止しつつサーバ装置に送信することが可能な情報収集システム、情報収集装置、通信装置、情報収集処理プログラム、通信処理プログラム、及び情報収集方法を提供することを課題とする。
【課題を解決するための手段】
【０００６】
上記課題を解決するために、請求項１に記載の発明は、短距離通信機能及び中距離通信機能を有する情報収集装置と、短距離通信機能、中距離通信機能、及び長距離通信機能を有する通信装置と、を備えた情報収集システムであって、前記情報収集装置は、収集した収集情報を記録する収集情報記録手段と、前記通信装置に対応する識別情報を登録する識別情報登録手段と、前記中距離通信機能により通信装置を探索する探索手段と、前記通信装置を探索できた場合には、当該探索された通信装置に対応する識別情報が登録されているか否かを判別する判別手段と、前記識別情報が登録されている場合には、前記記録されている収集情報を前記探索された通信装置に前記中距離通信機能により送信する情報送信手段と、を備え、前記通信装置は、前記情報収集装置から送信されてきた収集情報を前記中距離通信機能により受信する情報受信手段と、前記長距離通信機能によりネットワークを介してサーバ装置に接続し、前記受信された収集情報を当該サーバ装置に送信する収集情報送信手段と、を備え、前記情報収集装置において、前記通信装置を探索できない場合又は前記識別情報が登録されていない場合には、前記探索手段は、前記短距離通信機能により通信装置を探索し、前記判別手段は、前記通信装置を探索できた場合には、当該探索された通信装置に対応する識別情報が登録されているか否かを判別し、前記情報送信手段は、前記識別情報が登録されている場合には、前記記録されている収集情報を前記探索された通信装置に前記短距離通信機能により送信し、前記通信装置において、前記情報受信手段は、前記情報収集装置から送信されてきた収集情報を前記短距離通信機能により受信し、前記収集情報送信手段は、前記長距離通信機能によりネットワークを介してサーバ装置に接続し、前記受信された収集情報を当該サーバ装置に送信することを特徴とする。
【０００８】
請求項２に記載の発明は、請求項１に記載の情報収集システムにおいて、前記サーバ装置は、用途毎に複数存在し、前記情報収集装置において、前記情報送信手段は、操作者からの指定に応じて、予め登録された夫々の前記サーバ装置に接続するためのアドレス情報のうちから何れか一の前記アドレス情報を取得して当該アドレス情報を、前記探索された通信装置に前記短距離通信機能又は前記中距離通信機能により送信し、前記通信装置において、前記情報受信手段は、前記情報収集装置から送信されてきたアドレス情報を前記短距離通信機能又は前記中距離通信機能により受信し、前記収集情報送信手段は、当該受信されたアドレス情報にしたがって前記サーバ装置に接続し、前記受信された収集情報を当該サーバ装置に送信することを特徴とする。
【０００９】
請求項３に記載の発明は、請求項１に記載の情報収集システムにおいて、前記サーバ装置は、用途毎に複数存在し、前記情報収集装置において、前記情報送信手段は、操作者からの指定に応じて何れか一の前記サーバ装置を示す指定情報を、前記探索された通信装置に前記短距離通信機能又は前記中距離通信機能により送信し、前記通信装置において、前記情報受信手段は、前記情報収集装置から送信されてきた指定情報を前記短距離通信機能又は前記中距離通信機能により受信し、前記収集情報送信手段は、予め登録された夫々の前記サーバ装置に接続するためのアドレス情報のうちから前記受信された指定情報に対応する何れか一の前記アドレス情報を取得して当該アドレス情報にしたがって前記サーバ装置に接続し、前記受信された収集情報を当該サーバ装置に送信することを特徴とする。
【００１０】
請求項４に記載の発明は、請求項１乃至３の何れか一項に記載の情報収集システムにおいて、前記探索手段は、予め設定された時間が到来した場合に、前記通信装置の探索を開始することを特徴とする。
【００１１】
請求項５に記載の発明は、請求項１乃至３の何れか一項に記載の情報収集システムにおいて、前記探索手段は、操作者からの収集情報の送信指示あった場合に、前記通信装置の探索を開始することを特徴とする。
【００１２】
請求項６に記載の発明は、請求項１乃至３の何れか一項に記載の情報収集システムにおいて、前記情報収集装置は、商品又はサービスに対する売上を示す売上情報を前記収集情報として収集するものであって、前記探索手段は、前記売上の発生が検出された場合に、前記通信装置の探索を開始することを特徴とする。
【００１３】
請求項７に記載の発明は、請求項１乃至６の何れか一項に記載の情報収集システムに含まれる情報収集装置であって、前記収集情報記録手段、前記識別情報登録手段、前記探索手段、前記判別手段、及び前記情報送信手段を備えることを特徴とする。
【００１４】
請求項８に記載の発明は、請求項１乃至６の何れか一項に記載の情報収集システムに含まれる通信装置であって、前記情報受信手段及び前記収集情報送信手段を備えることを特徴とする。
【００１５】
請求項９に記載の情報収集処理プログラムの発明は、請求項７に記載の情報収集装置として機能させることを特徴とする。
【００１６】
請求項１０に記載の通信処理プログラムの発明は、請求項８に記載の通信装置として機能させることを特徴とする。
【００１７】
請求項１１に記載の発明は、短距離通信機能及び中距離通信機能を有する情報収集装置と、短距離通信機能、中距離通信機能、及び長距離通信機能を有する通信装置と、を用いた情報収集方法であって、前記情報収集装置は、収集した収集情報を記録する工程と、前記通信装置に対応する識別情報を登録する工程と、前記中距離通信機能により通信装置を探索する探索工程と、前記通信装置を探索できた場合には、当該探索された通信装置に対応する識別情報が登録されているか否かを判別する判別工程と、前記識別情報が登録されている場合には、前記記録されている収集情報を前記探索された通信装置に前記中距離通信機能により送信する情報送信工程と、を備え、前記通信装置は、前記情報収集装置から送信されてきた収集情報を前記中距離通信機能により受信する情報受信工程と、前記長距離通信機能によりネットワークを介してサーバ装置に接続し、前記受信された収集情報を当該サーバ装置に送信する収集情報送信工程と、を備え、前記情報収集装置において、前記通信装置を探索できない場合又は前記識別情報が登録されていない場合には、前記探索工程は、前記短距離通信機能により通信装置を探索し、前記判別工程は、前記通信装置を探索できた場合には、当該探索された通信装置に対応する識別情報が登録されているか否かを判別し、前記情報送信工程は、前記識別情報が登録されている場合には、前記記録されている収集情報を前記探索された通信装置に前記短距離通信機能により送信し、前記通信装置において、前記情報受信工程は、前記情報収集装置から送信されてきた収集情報を前記短距離通信機能により受信し、前記収集情報送信工程は、前記長距離通信機能によりネットワークを介してサーバ装置に接続し、前記受信された収集情報を当該サーバ装置に送信することを特徴とする。
【発明の効果】
【００１８】
本発明によれば、情報収集装置は、前記通信装置に対応する識別情報を登録し、前記中距離通信機能により通信装置を探索し、前記通信装置を探索できた場合には、当該探索された通信装置に対応する識別情報が登録されているか否かを判別し、それが登録されている場合には、記録されている収集情報を前記探索された通信装置に前記中距離通信機能により送信し、前記通信装置は、前記情報収集装置から送信されてきた収集情報を前記中距離通信機能により受信し、前記長距離通信機能によりネットワークを介してサーバ装置に接続し、前記受信された収集情報を当該サーバ装置に送信するように構成したので、情報収集装置により収集された情報を通信装置を通じて、より効率良く、しかも情報漏洩を防止しつつサーバ装置に送信することができる。
【発明を実施するための最良の形態】
【００１９】
以下、図面を参照して本発明の最良の実施形態について詳細に説明する。
【００２０】
先ず、本発明の一実施形態に係る情報収集システムの構成及び機能について、図１を用いて説明する。
【００２１】
図１は、本実施形態に係る情報収集システムの概要構成例を示す図である。
【００２２】
図１に示すように、情報収集システムＳは、店舗に設置されたレジ端末（情報収集装置の一例）１と、店員Ａにより使用される携帯電話機２Ａ（通信装置の一例）と、店員Ｂにより使用される携帯電話機２Ｂ（通信装置の一例）と、を備えて構成されている。そして、レジ端末１により収集された情報は、携帯電話機２Ａ又は２Ｂに送られ、さらに、当該携帯電話機２Ａ又は２ＢからネットワークＮＷを介して情報収集サーバ３（サーバ装置の一例）に送信されるようになっている。なお、ネットワークＮＷは、例えば、移動体通信網及びインターネット等から構成される。
【００２３】
図２は、レジ端末１の概要構成例を示す図である。レジ端末１は、商品又はサービスに対する売上を示す売上情報（収集情報の一例）を収集し記録可能なキャッシュレジスタであり、これ自身で情報収集サーバ３へ接続するための通信手段が搭載されていない。そして、図２に示すように、レジ端末１は、短距離通信機能を有する短距離通信部１１、中距離通信機能を有する中距離通信部１２、例えば入力ボタンやバーコードリーダ等からなる情報入力部１３、例えばハードディスクドライブ等からなる収集情報記録手段としての情報記録部１４、ディスプレイ等からなる表示部１５、売上情報を印刷出力するための印刷部１６、及びレジ端末１全体を制御する制御部１７等を備えて構成されている。
【００２４】
短距離通信部１１は、アンテナ、変復調回路、及び制御マイコン等を含む回路からなり、例えば、13.56MHz帯域によるNFC（Near Field Communication）規格(ISO/IEC 18092)に準拠した短距離無線通信技術が適用される。そして、短距離通信部１１は、携帯電話機２Ａ及び２Ｂの短距離通信部との間で通信が可能となっており、その通信距離は、例えば０（密着）〜１０ｃｍ程度になっている。
【００２５】
中距離通信部１２は、アンテナ、変復調回路、及び制御マイコン等を含む回路からなり、例えばBluetooth規格に準拠した中距離無線通信技術が適用される。そして、中距離通信部１２は、携帯電話機の中距離通信部との間で通信が可能となっており、その通信距離は、例えば１０ｃｍ〜数ｍ程度になっている。
【００２６】
情報記録部１４には、売上情報が記録されるようになっており、当該売上情報には、情報入力部１３から入力された売上に係る価格、及び売上日時等の情報が含まれる。
【００２７】
また、情報記録部１４には、ＩＤ登録テーブルが記憶されている。ＩＤ登録テーブルには、通信装置ＩＤ及び中距離通信用ＩＤが携帯電話機２Ａ，２Ｂ（定員Ａ，Ｂ）毎に登録可能になっている。通信装置ＩＤは、携帯電話機に対して固有に割り当てられた識別情報であり、中距離通信用ＩＤは、中距離通信部に対して固有に割り当てられた識別情報であり、例えばBluetooth規格に準拠した中距離無線通信確立のためのペアリングに用いられる。
【００２８】
制御部１７は、演算機能を有するＣＰＵ、プログラム（本発明の情報収集処理プログラム等を含む）及びデータが記憶されたＲＯＭ、作業用のＲＡＭ、及び不揮発性メモリ等を備えて構成されている。
【００２９】
そして、制御部１７は、上記プログラムを実行することにより、本発明における識別情報登録手段、探索手段、判別手段、及び情報送信手段等として機能するようになっている。
【００３０】
より具体的には、制御部１７は、例えば操作者からの情報入力部１３を通じた登録指示（例えば登録ボタンの押下）にしたがって携帯電話機２Ａと携帯電話機２Ｂの少なくとも何れか一方に対応する通信装置ＩＤ及び中距離通信用ＩＤをＩＤ登録テーブルに登録（事前登録）するようになっている。
【００３１】
そして、制御部１７は、中距離通信部１２の中距離通信機能により携帯電話機を探索し、携帯電話機を探索できた場合には、当該探索された携帯電話機に対応する中距離通信用ＩＤがＩＤ登録テーブルに登録されているか否かを判別し、中距離通信用ＩＤが登録されている場合には、情報記録部１４に記録されている売上情報を当該探索された携帯電話機に対して、中距離通信部１２の中距離通信機能により送信するようになっている。
【００３２】
ここで、携帯電話機の探索の開始条件としては、例えば、タイマにより予め設定された時間が到来した場合、操作者からの情報入力部１３を通じた売上情報の送信指示（例えば送信ボタンの押下）あった場合、又は売上の発生が検出された（例えば、料金支払い時の確定ボタンの押下）場合などが挙げられる。
【００３３】
一方、制御部１７は、携帯電話機を探索できない場合又は中距離通信用ＩＤがＩＤ登録テーブルに登録されていない場合、短距離通信部１１の短距離通信機能により携帯電話機を探索し、携帯電話機を探索できた場合には、当該探索された携帯電話機に対応する通信装置ＩＤがＩＤ登録テーブルに登録されているか否かを判別し、通信装置ＩＤが登録されている場合には、情報記録部１４に記録されている売上情報を当該探索された携帯電話機に対して、短距離通信部１１の短距離通信機能により送信するようになっている。
【００３４】
次に、図３は、携帯電話機２Ａ及び２Ｂの概要構成例を示す図である。図３に示すように、携帯電話機２Ａ及び２Ｂは、夫々、短距離通信機能を有する短距離通信部２１、中距離通信機能を有する中距離通信部２２、長距離通信機能を有する長距離通信部２３、例えば入力ボタン等からなる情報入力部２４、例えば不揮発性メモリ等からなる情報記録部２５、ディスプレイ等からなる表示部２６、及び携帯電話機全体を制御する制御部２７等を備えて構成されている。中距離通信部２２には、予め、中距離通信用ＩＤが記憶されており、情報記録部２５には、予め、通信装置ＩＤが記憶されている。なお、本実施形態においては、携帯電話機２Ｂには、中距離通信部２２が搭載されていないものとする。
【００３５】
短距離通信部２１は、レジ端末１の短距離通信部１１と同じ機能を有しており、短距離通信部１１と通信が確立されるようになっている。
【００３６】
中距離通信部２２は、レジ端末１の中距離通信部１２と同じ機能を有しており、中距離通信部１２と通信が確立されるようになっている。
【００３７】
長距離通信部２３は、ネットワークＮＷを介して情報収集サーバ３に接続して通信を行うためのものである。
【００３８】
制御部２７は、演算機能を有するＣＰＵ、プログラム（本発明の通信処理プログラム等を含む）及びデータが記憶されたＲＯＭ、作業用のＲＡＭ、及び不揮発性メモリ等を備えて構成されている。
【００３９】
そして、制御部２７は、上記プログラムを実行することにより、本発明における情報受信手段及び収集情報送信手段等として機能するようになっている。
【００４０】
より具体的には、制御部２７は、レジ端末１から送信されてきた売上情報を中距離通信部２２の中距離通信機能により受信し、続いて、長距離通信部２３の長距離通信機能によりネットワークＮＷを介して情報収集サーバ３に接続し、受信された売上情報を当該情報収集サーバ３に送信する。なお、情報収集サーバ３に接続するためのＵＲＬ（Uniform Resource Locator）（アドレス情報の一例）は、レジ端末１から売上情報と共に携帯電話機２Ａ及び２Ｂに送信されるようにしても良いし、携帯電話機２Ａ及び２Ｂに予め記憶されておくようにしても良い。
【００４１】
次に、本実施形態に係る情報収集システムＳの動作について、図４乃至図７を用いて説明する。
【００４２】
図４は、ＩＤ登録のための動作例を示すシーケンス図である。図５及び図６は、売上情報送信のための動作例を示すシーケンス図である。また、図７は、ＩＤ登録テーブルの内容の一例を示す図である。
【００４３】
図４において、先ず、操作者である店員Ａ（例えば店長）が自身の携帯電話機２Ａの通信装置ＩＤ等を登録したい場合、例えば、レジ端末１に設けられたストッパー台に携帯電話機を置き、当該レジ端末１の情報入力部１３における登録ボタンを押下すると、情報入力部１３から制御部１７に登録開始指示信号が送られる（ステップＳ１）。
【００４４】
次いで、制御部１７から短距離通信部１１に通信装置ＩＤ送信命令（携帯電話機の短距離通信部探索命令）が送られる（ステップＳ２）。
【００４５】
次いで、短距離通信部１１により携帯電話機２Ａの短距離通信部２１が探索されて携帯電話機２Ａの短距離通信部２１との通信が確立できた場合、短距離通信部１１から短距離通信部２１に通信装置ＩＤ送信命令が送られる（ステップＳ３）。
【００４６】
次いで、携帯電話機２Ａでは、予め記憶されている通信装置ＩＤが読み出され、短距離通信部２１から短距離通信部１１に当該通信装置ＩＤが送られ（ステップＳ４）、続いて、短距離通信部１１から制御部１７に当該通信装置ＩＤが送られる（ステップＳ５）。
【００４７】
次いで、制御部１７から情報記録部１４に、通信装置ＩＤと共にＩＤ登録命令が送られ（ステップＳ６）、当該通信装置ＩＤがＩＤ登録テーブルに登録（例えば、図７に示す“０００２”）される（ステップＳ７）。通信装置ＩＤがＩＤ登録テーブルに登録されると、登録完了通知が情報記録部１４から制御部１７に送られる（ステップＳ８）。
【００４８】
次いで、制御部１７から短距離通信部１１に中距離通信用ＩＤ送信命令が送られる（ステップＳ９）。
【００４９】
次いで、短距離通信部１１から短距離通信部２１に中距離通信用ＩＤ送信命令が送られる（ステップＳ１０）。
【００５０】
次いで、携帯電話機２Ａでは、予め記憶されている中距離通信用ＩＤが読み出され、短距離通信部２１から短距離通信部１１に当該中距離通信用ＩＤが送られ（ステップＳ１１）、続いて、短距離通信部１１から制御部１７に当該中距離通信用ＩＤが送られる（ステップＳ１２）。
【００５１】
次いで、制御部１７から情報記録部１４に、中距離通信用ＩＤと共にＩＤ登録命令が送られ（ステップＳ１３）、当該中距離通信用ＩＤが通信装置ＩＤに対応付けられてＩＤ登録テーブルに登録（例えば、図７に示す“０００２”）される（ステップＳ１４）。中距離通信用ＩＤがＩＤ登録テーブルに登録されると、登録完了通知が情報記録部１４から制御部１７に送られる（ステップＳ１５）。こうして登録完了通知が制御部１７に送られると、例えば、表示部１５にＩＤ登録完了を示す情報が表示される。
【００５２】
以上のようにして、携帯電話機２Ａにおける通信装置ＩＤ及び中距離通信用ＩＤが登録されるが、携帯電話機２Ｂのように、中距離通信部２２が搭載されていない場合には、上記ステップＳ１１では、短距離通信部２１から短距離通信部１１に当該中距離通信用ＩＤが無いことを示す情報（例えばＮＵＬＬ値）が送られ、上記ステップＳ１４では、レジ端末１の情報記録部１４におけるＩＤ登録テーブルには、ＮＵＬＬ値が中距離通信用ＩＤの代わりに登録（例えば、図７に示す“ＮＵＬＬ”）されることになる。
【００５３】
次に、図５において、上述した携帯電話機の探索の開始条件が満たされた場合（例えば、操作者がレジ端末１の情報入力部１３における送信ボタンを押下した場合、或いはタイマにより予め設定された午後７時が到来した場合等）、制御部１７から中距離通信部１２に中距離通信用ＩＤ送信命令（携帯電話機の中距離通信部探索命令）が送られる（ステップＳ２１）。
【００５４】
次いで、中距離通信部１２により、例えば携帯電話機２Ａの中距離通信部２２が探索されて携帯電話機２Ａの中距離通信部２２との通信が確立できた場合、中距離通信部１２から中距離通信部２２に中距離通信用ＩＤ送信命令が送られる（ステップＳ２２）。ここで、携帯電話機の中距離通信部が探索できなかった場合には、ステップＳ２８に移行される。
【００５５】
次いで、携帯電話機２Ａでは、予め記憶されている中距離通信用ＩＤが読み出され、中距離通信部２２から中距離通信部１２に当該中距離通信用ＩＤが送られ（ステップＳ２３）、続いて、中距離通信部１２から制御部１７に当該中距離通信用ＩＤが送られる（ステップＳ２４）。
【００５６】
次いで、制御部１７から情報記録部１４に、登録済み中距離通信用ＩＤ読出命令が送られ（ステップＳ２５）、これに応じて、情報記録部１４のＩＤ登録テーブルに登録されている中距離通信用ＩＤが読み出されて制御部１７に送られる（ステップＳ２６）。
【００５７】
次いで、制御部１７では、中距離通信部１２から送られた中距離通信用ＩＤと、ＩＤ登録テーブルに登録されている中距離通信用ＩＤとが比較され、一致しているか否かが判断される（ステップＳ２７）。そして、両中距離通信用ＩＤが一致している場合（ステップＳ２７：ＹＥＳ）には、ステップＳ２８に移行し、両中距離通信用ＩＤが一致していない場合（ステップＳ２７：ＮＯ）には、図６に示すステップＳ４６に移行する。
【００５８】
ステップＳ２８では、制御部１７から中距離通信部１２に売上送信アプリケーション起動命令が送られる。
【００５９】
次いで、中距離通信部１２から中距離通信部２２に売上送信アプリケーション起動命令が送られ（ステップＳ２９）、当該中距離通信部２２から制御部２７に当該売上送信アプリケーション起動命令が送られる（ステップＳ３０）。これに応じて、制御部２７により売上送信アプリケーションが起動され（ステップＳ３１）、当該制御部２７から中距離通信部２２及び中距離通信部１２を介して制御部１７に起動ＯＫ通知が送られる（ステップＳ３２〜Ｓ３４）。
【００６０】
次いで、レジ端末１の制御部１７が起動ＯＫ通知を受けると、制御部１７から情報記録部１４に、売上情報読出命令が送られ（ステップＳ３５）、これに応じて、情報記録部１４から売上情報が読み出されて制御部１７に送られる（ステップＳ３６）。
【００６１】
次いで、読み出された売上情報は、情報送信命令と共に、制御部１７から中距離通信部１２に送られる（ステップＳ３７）。
【００６２】
次いで、中距離通信部１２から中距離通信部２２に売上情報及び情報送信命令が送られ（ステップＳ３８）、続いて、当該中距離通信部２２から制御部２７に当該売上情報及び情報送信命令が送られる（ステップＳ３９）。
【００６３】
次いで、制御部２７から長距離通信部２３に、売上情報及び情報送信命令（情報収集サーバ３のＵＲＬを含む）が送られ（ステップＳ４０）、長距離通信部２３によりネットワークＮＷを介して情報収集サーバ３に接続され、当該売上情報が当該情報収集サーバ３に送信される（ステップＳ４１）。
【００６４】
こうして売上情報が情報収集サーバ３に送信されると、長距離通信部２３から制御部２７に送信ＯＫ通知が送られ（ステップＳ４２）、続いて、当該制御部２７から中距離通信部２２及び中距離通信部１２を介して制御部１７に送信ＯＫ通知が送られ（ステップＳ４３〜Ｓ４５）、当該処理が終了する。
【００６５】
次に、図６に示すステップＳ４６では、中距離通信用ＩＤが登録された携帯電話機が通信可能範囲内に存在しなかったと判断され、制御部１７から短距離通信部１１に通信装置ＩＤ送信命令（携帯電話機の短距離通信部探索命令）が送られる。
【００６６】
次いで、短距離通信部１１により、例えば携帯電話機２Ａの短距離通信部２１が探索されて携帯電話機２Ａの短距離通信部２１との通信が確立できた場合、短距離通信部１１から短距離通信部２１に通信装置ＩＤ送信命令が送られる（ステップＳ４７）。ここで、携帯電話機の短距離通信部が探索できなかった場合には、当該処理を終了するか、或いはステップＳ２１に戻り上記と同様の処理が行われる。
【００６７】
次いで、携帯電話機２Ａでは、予め記憶されている通信装置ＩＤが読み出され、短距離通信部２１から短距離通信部１１に当該通信装置ＩＤが送られ（ステップＳ４８）、続いて、短距離通信部１１から制御部１７に当該通信装置ＩＤが送られる（ステップＳ４９）。
【００６８】
次いで、制御部１７から情報記録部１４に登録済み通信装置ＩＤ読出命令が送られ（ステップＳ５０）、これに応じて、情報記録部１４のＩＤ登録テーブルに登録されている通信装置ＩＤが読み出されて制御部１７に送られる（ステップＳ５１）。
【００６９】
次いで、制御部１７では、短距離通信部１１から送られた通信装置ＩＤと、ＩＤ登録テーブルに登録されている通信装置ＩＤとが比較され、一致しているか否かが判断される（ステップＳ５２）。そして、両通信装置ＩＤが一致していない場合（ステップＳ５２：ＮＯ）には、当該処理を終了するか、或いはステップＳ２１に戻り上記と同様の処理が行われ、両中距離通信用ＩＤが一致している場合（ステップＳ５２：ＹＥＳ）には、ステップＳ５３に移行する。
【００７０】
ステップＳ５３では、制御部１７から短距離通信部１１に売上送信アプリケーション起動命令が送られる。
【００７１】
次いで、短距離通信部１１から短距離通信部２１に売上送信アプリケーション起動命令が送られ（ステップＳ５４）、当該短距離通信部２１から制御部２７に当該売上送信アプリケーション起動命令が送られる（ステップＳ５５）。これに応じて、制御部２７により売上送信アプリケーションが起動され（ステップＳ５６）、当該制御部２７から短距離通信部２１及び短距離通信部１１を介して制御部１７に起動ＯＫ通知が送られる（ステップＳ５７〜Ｓ５９）。
【００７２】
次いで、レジ端末１の制御部１７が起動ＯＫ通知を受けると、制御部１７から情報記録部１４に、売上情報読出命令が送られ（ステップＳ６０）、これに応じて、情報記録部１４から売上情報が読み出されて制御部１７に送られる（ステップＳ６１）。
【００７３】
次いで、読み出された売上情報は、情報送信命令と共に、制御部１７から短距離通信部１１に送られる（ステップＳ６２）。
【００７４】
次いで、短距離通信部１１から短距離通信部２１に売上情報及び情報送信命令が送られ（ステップＳ６３）、続いて、当該短距離通信部２１から制御部２７に当該売上情報及び情報送信命令が送られる（ステップＳ６４）。
【００７５】
次いで、制御部２７から長距離通信部２３に、売上情報及び情報送信命令（情報収集サーバ３のＵＲＬを含む）が送られ（ステップＳ６５）、長距離通信部２３によりネットワークＮＷを介して情報収集サーバ３に接続され、当該売上情報が当該情報収集サーバ３に送信される（ステップＳ６６）。
【００７６】
こうして売上情報が情報収集サーバ３に送信されると、長距離通信部２３から制御部２７に送信ＯＫ通知が送られ（ステップＳ６７）、続いて、当該制御部２７から短距離通信部２１及び短距離通信部１１を介して制御部１７に送信ＯＫ通知が送られ（ステップＳ６８〜Ｓ７０）、当該処理が終了する。
【００７７】
以上説明したように、上記実施形態によれば、レジ端末１において携帯電話機に対応する通信装置ＩＤ及び中距離通信用ＩＤをＩＤ登録テーブルに事前に登録しておき、レジ端末１が、中距離通信機能により携帯電話機を探索し、携帯電話機を探索できた場合には、当該探索された携帯電話機に対応する中距離通信用ＩＤがＩＤ登録テーブルに登録されているか否かを判別し、中距離通信用ＩＤが登録されている場合には、記録されている売上情報を当該探索された携帯電話機に対して中距離通信機能により送信する。そして、レジ端末１から送信されてきた売上情報を中距離通信機能により受信した携帯電話機が、長距離通信機能によりネットワークＮＷを介して情報収集サーバ３に接続し、受信された売上情報を当該情報収集サーバ３に送信するように構成したので、売上情報送信用であるメインの携帯電話機を所持している店員がレジ端末１から離れていた場合であっても、より効率良く、しかも情報漏洩を防止しつつ情報収集サーバ３に対して売上情報を送信することができる。
【００７８】
また、レジ端末１において中距離通信機能により携帯電話機を探索できない場合又は探索された携帯電話機の中距離通信用ＩＤがＩＤ登録テーブルに登録されていない場合、レジ端末１は、短距離通信機能により携帯電話機の探索を試み、携帯電話機を探索できた場合には、当該探索された携帯電話機に対応する通信装置ＩＤがＩＤ登録テーブルに登録されているか否かを判別し、通信装置ＩＤが登録されている場合には、記録されている売上情報を当該探索された携帯電話機に対して短距離通信機能により送信して、当該売上情報を情報収集サーバ３に送信させるように構成したので、売上情報送信用であるメインの携帯電話機を所持している店員が中距離通信範囲内に存在していなくても、サブの携帯電話機を所持している店員の携帯電話機を用いてより効率良く、しかも情報漏洩を防止しつつ情報収集サーバ３に対して売上情報を送信することができる。
【００７９】
また、レジ端末１には、複数のＩＤ（通信装置ＩＤ、中距離通信用ＩＤ）を登録可能であるので、例えば、旦那さんの携帯電話機２Ａと奥さんの携帯電話機２Ｂを登録しておけば、複数登録したもののうち、検索に成功したものをその都度選んで送ることができる。
【００８０】
また、タイマにより予め設定された時間が到来した場合を携帯電話機の探索の開始条件とすれば、例えば１日１回任意の時間にその日の売上情報を自動的に情報収集サーバ３に送信することができるので、より効率化を向上させることができる。
【００８１】
また、売上の発生が検出された場合を携帯電話機の探索の開始条件とすれば、最新の売上情報を情報収集サーバ３に送信することができ、情報収集サーバ３側では常に最新の売上情報を把握することができる。
【００８２】
なお、上記実施形態によれば、売上情報は情報収集サーバ３に送信されるように構成したが、このようなサーバを用途毎に複数用意、例えば、売上管理専用サーバと在庫管理専用サーバとを用意し、上記売上情報が、レジ端末１の操作者からの指定に応じて売上管理専用サーバ又は在庫管理専用サーバに送信（例えば、レジ端末１の情報入力部１３における売上ボタンが押下された場合には売上管理専用サーバに、在庫ボタンが押下された場合には在庫管理専用サーバに送信）されるように構成しても良い。
【００８３】
この場合、例えば、売上管理専用サーバに接続するためのＵＲＬと、在庫管理専用サーバに接続するためのＵＲＬを携帯電話機２Ａ及び２Ｂに予め登録（記憶）しておき、携帯電話機２Ａ又は２Ｂは、これらのＵＲＬのうち、レジ端末１から売上情報と共に送信された指定情報（レジ端末１の操作者からの指定（売上ボタン又は在庫ボタンの押下）に応じて何れかのサーバを示す情報）に対応する何れか一のＵＲＬを取得して当該ＵＲＬにしたがって売上管理専用サーバ又は在庫管理専用サーバに接続して上記売上情報を送信する。
【００８４】
或いは、売上管理専用サーバに接続するためのＵＲＬと、在庫管理専用サーバに接続するためのＵＲＬをレジ端末１に予め登録（記憶）しておき、レジ端末１は、操作者からの指定に応じて、予め登録されたＵＲＬのうちから何れか一のＵＲＬを取得してこれを売上情報と共に携帯電話機２Ａ又は２Ｂに送信し、携帯電話機２Ａ又は２Ｂは、受信したＵＲＬにしたがって売上管理専用サーバ又は在庫管理専用サーバに接続して上記売上情報を送信する。
【図面の簡単な説明】
【００８５】
【図１】本実施形態に係る情報収集システムの概要構成例を示す図である。
【図２】レジ端末１の概要構成例を示す図である。
【図３】携帯電話機２Ａ及び２Ｂの概要構成例を示す図である。
【図４】ＩＤ登録のための動作例を示すシーケンス図である。
【図５】売上情報送信のための動作例を示すシーケンス図である。
【図６】売上情報送信のための動作例を示すシーケンス図である。
【図７】ＩＤ登録テーブルの内容の一例を示す図である。
【符号の説明】
【００８６】
１  レジ端末
２Ａ、２Ｂ  携帯電話機
３  情報収集サーバ
１１  短距離通信部
１２  中距離通信部
１３  情報入力部
１４  情報記録部
１５  表示部
１６  印刷部
１７  制御部
２１  短距離通信部
２２  中距離通信部
２３  長距離通信部
２４  情報入力部
２５  情報記録部
２６  表示部
２７  制御部
ＮＷ  ネットワーク
Ｓ  情報収集システム
【図１】
0005211868.tif 000002
【図２】
0005211868.tif 000003
【図３】
0005211868.tif 000004
【図４】
0005211868.tif 000005
【図５】
0005211868.tif 000006
【図６】
0005211868.tif 000007
【図７】
0005211868.tif 000008